(57)【要約】本発明は、油溶液及び蒸留水溶液を組み合わせてなるシームレスＢＢペイントボールの組成物に関し、その中、該油溶液は重量％に基づいて、油溶液は食用合成油又は植物油及び１％〜５％食用色素を含んでなり、そして蒸留水溶液は１０％〜３４％ゼラチン、１％〜１０％ポリエチレングリコール（ＰＥＧ）、１％〜１０％澱粉及び０．１％〜１％食用色素を含んでなる。該ペイントボールは、蒸留水と油とが相互に排斥する特性を有し両者の表面張力の差異と、ゼラチンの熱溶解及び冷却固化する物性とを利用して、二重の同心ノズルより、すなわち内側ノズルから油溶液を、外側ノズルから同時に蒸留水溶液を噴出させ、外層液が完全に内層液を覆った後、冷凍油内に滴下して固化させ表面が平滑なシームレス円球カプセルを形成する。【特許請求の範囲】
【請求項１】
重量％に基づいて計算される油溶液及び蒸留水溶液を備えてなり、その中、前記油溶液は食用可能な合成油又は植物油及び１％〜５％食用色素を含んでなり、そして蒸留水溶液は１０％〜３４％ゼラチン、１％〜１０％ポリエチレングリコール（ＰＥＧ）、１％〜１０％澱粉及び０.１％〜１％食用色素を含んでなることを特徴とするシームレスＢＢペイントボール用の組成物。
【請求項２】
前記植物油は、好適には落花生油、大豆油、とうもろこし油、ひまわり油、オリーブ油であることを特徴とする請求項１記載の組成物。
【請求項３】
前記食用可能な合成油は、好適には短鎖又は中鎖脂肪酸であることを特徴とする請求項１記載の組成物。
【請求項４】
前記ポリエチレングリコール（ＰＥＧ）の平均分子量は、２００〜６０００の範囲にあることを特徴とする請求項１記載の組成物。
【請求項５】
前記ポリエチレングリコールは、好適にはポリエチレングリコール（ＰＥＧ）が使用されることを特徴とする請求項１記載の組成物。
【請求項６】
前記ポリエチレングリコールは、異なる分子量の二種以上からなることを特徴とする請求項１記載の組成物。
【請求項７】
前記ポリエチレングリコールにおいて、その一のポリエチレングリコール（ＰＥＧ）の平均分子量は４００であり、そして他の一のポリエチレングリコール（ＰＥＧ）の平均分子量は６０００であることを特徴とする請求項６の組成物。
【請求項８】
重量％に基づいて計算される、前記蒸留水溶液は、１５％〜３０％ゼラチン、１％〜５％ポリエチレングリコール（ＰＥＧ）、６％〜１０％澱粉及び０.６％〜１％食用色素を含んでなることを特徴とする請求項１記載の組成物。
【請求項９】
成形固化機を用い、その内側ノズルから油溶液を、外側ノズルからは蒸留水溶液を同時に噴出させ、外側液が完全に内側液を覆うようにし、４〜１０℃の油内に滴下させ、固化させて表面が滑らかなシームレス円球カプセルを形成することを特徴とするシームレスＢＢペイントボールの製造方法。
【請求項１０】
前記シームレス円球カプセルの直径は、５〜９ｍｍであることを特徴とする請求項９記載の製造方法。
【発明の詳細な説明】
【技術分野】
【０００１】
本発明は、ＢＢペイントボール用組成物に関し、特に新技術を利用し、環境保護材質でペイントボールに類似したＢＢ弾を製造して娯楽ゲーム及び軍事・警備訓練に使用されるシームレスＢＢペイントボール用組成物に関する。
【背景技術】
【０００２】
従来の娯楽ゲーム及び軍事・警備訓練に使用されているボールは、主としてＢＢボール及びペイントボールの二大種類に分類される。
従来技術において、ＢＢ弾の直径は約６ｍｍ、重量は約０.１２〜０.３３ｇであり、図１に示すように非環境保護材質のプラスチック又はプラスチックで被覆した金属球により製造されている。そして低コストであり、連続撃発可能で精確度が高く、如何なるプラスチック玩具銃又は金属模造の規定の拳銃、ライフル又は機銃に適用される利点がある。また、金属模造銃で射撃した時、実弾射撃の感覚がある。
【０００３】
けれども、分解し難い材質を運用して製造されているので、該製品はともすれば環境を汚染するほか、堅硬な金属球及び高速の射撃速度故に、一定の殺傷力をもたらす。また、娯楽ゲーム及び軍事・警備訓練の場合、ともすれば安全性への配慮、及び命中した標的を精確に標示できない等、克服しなければならない欠点が存在している。
【０００４】
さらには、従来技術において、一般にペイントボールの直径は約１７.５ｍｍ〜１７.７ｍｍ、重さは約３.８〜３.９ｇであり、図２に示すように食用色素溶液が内含され、環境保護材質により製造されている。標的物に命中した後破裂し、有色溶液が標的上に標示されるので、ゲーム又は訓練時客観的な評価データが提供される。ペイントボールが大き過ぎるし、また重過ぎるので、専用銃や多項繁雑な付属装置を使用して初めて射撃することができ、実弾射撃とは明確な区別ができ、娯楽ゲームはまだ良いが、軍事・警備訓練の目標に達し難い。
【０００５】
国内外の市販品である６ｍｍＢＢペイントボール（３０）は、図３に示すように二つの半円球形モジュールを利用して、中間にシーム（合わせ目）を有する楕円形カプセルにより製造されるが、その内部に顔料を含んだ蒸留水溶液が充填されている。使用者はそれを使用した後、このような製品はある欠点を有していると指摘した。例えば、カプセルが軟らか過ぎるので連続的に射撃できず、且つ、空気と接触した後短時間内にさらに軟化し、結局全く使用できないものとなる。また、楕円形カプセルのシームが弾丸表面に平滑でない面を形成するので、それは射撃の正確性に悪影響する。本発明はシームレスＢＢペイントボールであり、製品は外観上シームが無いことから、明らかにシームのある市販品と異なる。
【０００６】
本発明は、新技術を利用して環境保護材質及び内容が類似したペイントボールをＢＢ弾の大きさにあわせて作製し、ＢＢ銃に使用されるシームレスＢＢペイントボール（２４）を提供する。このシームレスＢＢペイントボールは、環境保護の作用があり、連続射撃ができると共に高精度を有し、命中した標的物を標示できるので、実弾射撃に似た精確な射撃感を十分に味わえる。
【０００７】
本発明のシームレスＢＢペイントボール（２４）は、食用可能な軟質カプセルをケーシング（外被）とし、内部に食用色素及び脂肪油が充填されている。この材質は食用に属し、腐食性が無く自然分解され、環境汚染をもたらすことがなく、極端には誤って摂取しても消化されて体外に排出される。
【発明の開示】
【０００８】
本発明の目的は、従来技術の欠点を克服するために油溶液及び蒸留水溶液を備えたシームレスＢＢペイントボールの組成物を提供することにある。その中、該組成物を重量百分比計算によれば、油溶液は組成物総重量の６５〜８７％を占める。
【０００９】
該油溶液は、食用可能な合成油又は植物油及び１％〜５％の食用色素を含み、該蒸留水溶液は１０％〜３４％のゼラチン、１％〜１０％のポリエチレングリコール（ＰＥＧ）、１％〜１０％の澱粉、０.１％〜１％の食用色素及び残余は蒸留水を含む。
【００１０】
該シームレスＢＢペイントボールは、蒸留水と脂肪油とが互いに溶解しないこと、２種類の材質間に表面張力の差異が存在すること、およびゼラチンが熱溶融後に冷却・凝固することを利用して、適宜の成形固化装置を用いて製造される。図４に示される成形固化装置は、左側に主として動力及び生産条件制御のための制御盤と、中間に原料貯蔵槽と、右側に成形固化機との三大部分を備えている。図５に示すように、二重の同心ノズルにより、即ち内層ノズルにより油溶液を噴出させ、外層ノズルが同時に蒸留水溶液を噴出して外層液が内層液を完全に覆い、そして冷凍油内に滴下させ、固化させることにより表面が平滑なシームレスの（合わせ目のない）円球カプセル、即ち図６に示すごとき本発明のシームレスＢＢペイントボール（２４）が形成される。
【００１１】
本発明は、食用色素及び脂肪油を含んでなる食用級の軟質カプセルを採用した。その中、脂肪油は好ましくは落花生油、大豆油、とうもろこし油、葵花（ひまわり）油、オリーブ油、短鎖脂肪酸、中鎖脂肪酸を代表とする食用合成油又は植物油が用いられる。そして、短鎖脂肪酸は炭素鎖が８である脂肪酸を指し、中鎖脂肪酸は炭素鎖が１６の飽和または不飽和の食用脂肪酸を指す。粘度を調整に必要な場合、ポリエチレングリコール（ＰＥＧ）、澱粉を添加することができる。通常、平均分子量が２００と６０００との間にあるポリエチレングリコールが採用され、その中４００：４０００が優先的に採用され、適当な割合は、１.２：１、好ましくは１：０.５であり、又は４００：４０００：６０００が優先的に採用され、適当な割合が１：０.３：０.１である中、０.８：０.２：０.１が好ましく、この方式に基づいて一種又は二種以上の異なる分子量のポリエチレングリコールが添加される。澱粉には、通常、食用澱粉、例えばとうもろこし粉末、じゃが芋粉末が使用される。
【００１２】
重量％の計算によれば、油溶液は、食用油又は植物油及び１％〜５％食用色素により組成され、蒸留水溶液は、１０％〜３４％のゼラチンを含有した蒸留水溶液であり、それは１％〜１０％ポリエチレングリコール（ＰＥＧ）、１％〜１０％澱粉及び０.１％〜１％食用色素を含有することができる。また、重量％の計算により、本発明の蒸留水溶液は、必要の場合は好ましくは１５％〜３０％ゼラチン、１％〜５％ポリエチレングリコール（ＰＥＧ）、６％〜１０％澱粉及び０.６％〜１％食用色素を含むことができる。
【００１３】
本発明の次の目的は、シームレスＢＢペイントボールの製造方法を提供することにある。この方法は、組成材料の準備、固化成形、油脂除去、ベーキング及び製品産出のステップを備えてなる。
【００１４】
１．組成材料の準備
（１）油溶液は、食用可能な合成油又は植物油及び１％〜５％食用色素を含んでなり、重量比に応じて重さを量った後、両者を均一に混合して有色油溶液に仕上がる。その中、食用色素は異なる需要に応じて色々な色彩のものに調色することができる。そして、油材料は短鎖又は中鎖脂肪酸或いは植物油、例えば落花生油、大豆油、とうもろこし油、葵花油、オリーブ油等を使用することができる。
【００１５】
（２）蒸留水溶液は１０％〜３４％のゼラチン、１％〜１０％ポリエチレングリコール（ＰＥＧ）、１％〜１０％澱粉及び０．１％〜１％食用色素を含んでなる。
上記材料は、重量比で重さを量った後、先ず色素と蒸留水とを均一に混合し、しかる後、順にポリエチレングリコール、澱粉及びゼラチンを加えて均一に混合して加熱溶解し、空気の泡を除去して完成する。その中、食用色素は異なる需要に応じて色々な色彩のものに調色することができる。そしてポリエチレングリコールは、２種以上の違った分子量を含み、その平均分子量は２００〜６０００の範囲にあり、その食用色素はＦＤ＆Ｃ（Ｆｏｏｄ  Ｄｒｕｇ  ａｎｄ  Ｃｏｓｍｅｔｉｃ）赤色７号、青色２号、及び黄色５号等を使用することができる。
【００１６】
２．成形固化
成形固化は、図４に示す機器により行われる。
この機器は、三大部分を備え、それは左側の主として動力及び生産条件の制御のための制御盤（４０）と、中間に原料貯蔵槽（４１）と、右側に成形固化機（４２）とからなる。
組成材料の準備後、油溶液及び蒸留水溶液をそれぞれ常温の油溶液槽（５１）及び７０℃の蒸留水槽（５２）に入れ、制御盤のポンプを介してパイプにより油溶液及び蒸留水溶液を同時に右側の成形固化機に送り、二重の同心円を含むノズル（図５）を用いて、同時に内側直径１〜４．３ｍｍのノズルから油溶液を、外側直径５．８〜８．６ｍｍのノズルから７０℃の蒸留水溶液をそれぞれ噴出させ、両界面が互いに排斥するので球状カプセルが形成される。該カプセルはさらに、流速０．０６〜０．２５ｍｌ／ｓｅｃでもって温度４〜１０℃の油中を通して固化させる。カプセルの平均直径は、６〜１０ｍｍである。
【００１７】
３．油の除去
本分野の技術として公知の方法を採用して、遠心機によりカプセルの表面にある油脂を除去する。
【００１８】
４．ベーキング
次に、本分野の技術として公知の方法を採用して、ベーキング設備によりカプセルを乾燥硬化させる。
「図面の説明」
【００１９】
「図１」  ＢＢ弾及びシームレスＢＢペイントボールを示す図である。
「図２」  ペイントボールを示す図である。
「図３」  市販品ＢＢペイントボールを示す図である。
「図４」  成形固化設備を示す図である。
「図５」  円球カプセルの製造を示す図である。
「図６」  シームレスＢＢペイントボールを示す図である。
「符号の説明」
【００２０】
１０      ＢＢ弾
２０      ペイントボール
２４      シームレスＢＢペイントボール
３０      市販品ＢＢペイントボール
４０      制御盤
４１      原料貯蔵槽
４２      成形固化機
５１      油溶液
５２      蒸留水溶液
５３      冷凍油
５４      植物油
５５      ゼラチン
【００２１】
［具体的な実施の形態］
以下、添付図面を参照しながら実施例を説明することにより、本発明の技術的思想をより具体的に理解できる。以下の実施例は当然本発明を限定するものではなく、添付のクレームの範囲を逸脱しない限り、当業者による単純な設計変更、付加、修飾、置換等は、本発明の技術的範囲に属する。
【実施例１】
【００２２】
以下の各成分を用いた：
内容物                        重量％  ｗ／ｗ
・油溶液
落花生油                        ９５％
食用色素（赤色７号）              ５％
・蒸留水溶液
ゼラチン                        ３４％
ポリエチレングリコール            ２％
澱粉                              ３％
食用色素                        ０．１％
蒸留水                        ６０．９％
以上の配合により、落花生油９５ｋｇ及び食用色素（赤色７号）５ｋｇを均一に混合して油溶液を調製し、ゼラチン３４ｋｇ、ポリエチレングリコール２ｋｇ、澱粉３ｋｇ及び食用色素ＦＤ＆Ｃ（Ｆｏｏｄ，Ｄｒｕｇ  ａｎｄ  Ｃｏｓｍｅｔｉｃ）赤色７号を混合して蒸留水溶液を調製した。具体的なステップは、先ず色素を蒸留水と混合した後、順にポリエチレングリコール、澱粉及びゼラチンを添加して均一に混合し、６５〜７５℃の加熱溶解により泡沫を除去して完成した。
【００２３】
組成材料の準備後、得られた油溶液及び蒸留水溶液をそれぞれ常温の油溶液槽（５１）及び７０℃の蒸留水槽（５２）に入れ、制御盤のポンプを介してパイプにより油溶液及び蒸留水溶液を同時に右側の成形固化機に送り、二重の同心円を含むノズル（図５）を利用して、同時に内側直径１．８ｍｍのノズルから油溶液を、外側直径６．２ｍｍのノズルから７０℃の蒸留水溶液をそれぞれ噴出させ、両界面が互いに排斥するところから球状カプセルを形成させた。該カプセルはさらに、流速０．０９ｍｌ／ｓｅｃにより温度９℃の油中に通してそこで固化させた。カプセルの平均直径は、６．５〜７．５ｍｍである。しかる後、遠心機を利用してカプセルの表面の油脂を除去した。最後に、ベーキング装置によりベーキングしカプセルを乾燥・硬化させた。
【実施例２】
【００２４】
上記実施例１の方法と同様にして、以下の組成成分よりなるペイントボールを製造した：
内容物                        重量
・油溶液
大豆油                        ９８ｋｇ
食用色素                        ２ｋｇ
・蒸留水溶液
ゼラチン                      １６ｋｇ
ポリエチレングリコール          １ｋｇ
澱粉                          １０ｋｇ
食用色素                      ０．８ｋｇ
蒸留水                      ７２．２ｋｇ
【実施例３】
【００２５】
上記実施例１の方法と同様にして以下の組成成分よりなるペイントボールを製造した：
内容物                        重量
・油溶液
短鎖脂肪酸              ９９ｋｇ
食用色素                        １ｋｇ
・蒸留水溶液
ゼラチン                      １０ｋｇ
ポリエチレングリコール        １０ｋｇ
澱粉                            ８ｋｇ
食用色素                      ０．３ｋｇ
蒸留水                      ７１．７ｋｇ
【実施例４】
【００２６】
上記実施例１の方法と同様にして以下の組成成分よりなるペイントボールを製造した：
内容物                        重量
・油溶液
とうもろこし油                ９６ｋｇ
食用色素（青色２号）            ４ｋｇ
・蒸留水溶液
ゼラチン                      ２２ｋｇ
ポリエチレングリコール          ５ｋｇ
澱粉                            １ｋｇ
食用色素                        ０．５ｋｇ
蒸留水                        ７１．５ｋｇ
【００２７】
組成材料の準備後、得られた油溶液及び蒸留水溶液をそれぞれ常温の油溶液槽（５１）及び７０℃の蒸留水槽（５２）に入れ、制御盤のポンプを介してパイプにより油溶液及び蒸留水溶液を同時に右側の成形固化機に送り、二重の同心円を含むノズル（図５）を利用して、同時に内側直径２．６ｍｍのノズルから油溶液を、外側直径７．３ｍｍのノズルから７０℃の蒸留水溶液をそれぞれ噴出させ、両界面が互いに排斥するところから球状カプセルを形成した。該カプセルはさらに、流速０．２３ｍｌ／ｓｅｃで温度６℃の油に通してそこで固化させた。カプセルの平均直径は、７〜８．５ｍｍである。しかる後、遠心機を用いてカプセルの表面の油脂を除去した。最後に、ベーキング装置を利用してベーキングしカプセルを乾燥・硬化した。
【実施例５】
【００２８】
上記実施例１の方法と同様にして以下の組成成分よりなるペイントボールを製造した：
内容物                        重量
・油溶液
葵花油                        ９７ｋｇ
食用色素（黄色５号）            ３ｋｇ
・蒸留水溶液
ゼラチン                      ２８ｋｇ
ポリエチレングリコール          ３ｋｇ
澱粉                            ６ｋｇ
食用色素                        １ｋｇ
蒸留水                        ６２ｋｇ
【００２９】
組成材料の準備後、得られた油溶液及び蒸留水溶液をそれぞれ常温の油溶液槽（５１）及び７０℃の蒸留水槽（５２）に入れ、制御盤のポンプを介してパイプにより油溶液及び蒸留水溶液を同時に右側の成形固化機に送り、二重の同心円を含むノズル（図５）を利用して、同時に内側直径３．５ｍｍのノズルから油溶液を、外側直径８．１ｍｍのノズルから７０℃の蒸留水溶液をそれぞれ噴出させ、両界面が互いに排斥することから球状カプセルを形成した。該カプセルはさらに、流速０．１７ｍｌ／ｓｅｃで温度４℃の油に通してそこで固化させた。カプセルの平均直径は、８〜１０ｍｍである。しかる後、遠心機を利用してカプセルの表面の油脂を除去した。最後に、ベーキング装置を採用してカプセルを乾燥・硬化させた。
【実施例６】
【００３０】
上記実施例１の方法と同様にして以下の組成成分よりなるペイントボールを製造した：
内容物                        重量
・油溶液
中チェーン脂肪酸              ９７．５ｋｇ
食用色素                        ２．５ｋｇ
・蒸留水溶液
ゼラチン                      ２５ｋｇ
ポリエチレングリコール          ７ｋｇ
澱粉                            ５ｋｇ
食用色素                        ０．７ｋｇ
蒸留水                        ６２．３ｋｇ
この発明は技術の内容が請求項に定義されている。この発明の請求項に定義されているものと同じかまたはこれの均等な変更であって他人により成された技術の考案または方法は、この特許請求の範囲の保護範囲に包含される。
【図面の簡単な説明】
【００３１】
【図１】ＢＢ弾及びシームレスＢＢペイントボールを示す図である。
【図２】ペイントボールを示す図である。
【図３】市販品ＢＢペイントボールを示す図である。
【図４】成形固化設備を示す図である。
【図５】円球カプセルの製造を示す図である。
【図６】シームレスＢＢペイントボールを示す図である。
【符号の説明】
【００３２】
１０  ＢＢ弾
２０  ペイントボール
２４  シームレスＢＢペイントボール
３０  市販品ＢＢペイントボール
４０  制御盤
４１  原料貯蔵槽
４２  成形固化機
５１  油溶液
５２  蒸留水溶液
５３  冷凍油
５４  植物油
５５  ゼラチン
【図１】
2006500548.tif 000002
【図２】
2006500548.tif 000003
【図３】
2006500548.tif 000004
【図４】
2006500548.tif 000005
【図５】
2006500548.tif 000006
【図６】
2006500548.tif 000007
【国際調査報告】
2006500548.tif 000008
2006500548.tif 000009